(57)【要約】【課題】本発明の目的は、１枚のシートに所要の情報をプリンタで印刷した後、このシートを折り曲げたり貼着することによって容易に封書を作製できるとともに、薄手の控え用紙を作製可能な封書用シートを提供することにある。【解決手段】封書用シート１０は、粘着剤層１２を有する粘着シート１１の上に、剥離シート１３が重ね合わされてなる。この剥離シート１３に所定事項を印刷し、第３の領域１８の両側端をミシン目２２、２３に沿って切除し、折り目１５に沿って第２の領域１７の上に重なるように折り重ね、第１の領域１６の剥離シート１３Ａをスリット１９にしたがって剥離して粘着剤層１２を露出させ、折り目１４に沿って、先に折り重ねた第３の領域１８の上に折り重ねることにより、封書３０を１枚の封書用シート１０から容易に作成できる。剥離した剥離シート１３Ａは控えとして保管できる。【選択図】  図１
2004306371.tif 000002
【特許請求の範囲】
【請求項１】
全面に粘着剤層を有する粘着シートと、その粘着剤層の全域を覆うように重ね合わされた剥離シートとからなり、前記剥離シートが内側となるように折り畳むことにより封緘可能に構成される封書用シートであって、
前記剥離シートを内側にして谷折りするための第１及び第２の２つの折り目によってそのシートの全体が３つの領域に区分され、
前記第１の折り目によって前記第２の折り目とは反対側に形成される第１の領域から前記剥離シートをその幅全体にわたり剥離して前記粘着剤層を露出させるための切断可能線が前記第１の折り目に沿って前記剥離シートに形成されており、
前記第２の折り目によって前記第１の折り目とは反対側に形成される第３の領域にはその両側に位置する端縁切り離し部を除去して幅狭にするための切断可能線が前記剥離シート及び前記粘着シートの双方にわたって形成されていることを特徴とする封書用シート。
【請求項２】
前記第１及び前記第２の領域には、前記第３の領域において前記端縁切り離し部が除去された幅と同等な幅で両側を切り落とすための切断可能線が前記剥離シート及び前記粘着シートの双方にわたり形成されていることを特徴とする請求項１記載の封書用シート。
【請求項３】
前記第１の領域には前記第１の折り目によって谷折りしたときに前記第２の領域と重ならない部分を除去するための切断可能線が第１の折り目と平行に形成されていることを特徴とする請求項１又は２記載の封書用シート。
【請求項４】
前記粘着シートには前記第１の折り目に重なるようにして開封用の切断可能線が形成されていることを特徴とする請求項１ないし３のいずれかに記載の封書用シート。
【請求項５】
前記粘着シート及び前記剥離シートの双方には、前記第２の折り目に重なるようにして開封用の切断可能線が形成されていることを特徴とする請求項１ないし３のいずれかに記載の封書用シート。
【発明の詳細な説明】
【０００１】
【発明の属する技術分野】
本発明は、封書用シートに関する。
【０００２】
【従来の技術】
近年、各種の事務処理がコンピュータで行われるようになるに従い、伝票もコンピュータで処理され、レーザープリンタを使用することが一般的になってきた。
【０００３】
そこで、レーザープリンタで印刷したシートを折り曲げ加工することにより封筒型伝票を作製可能な単票用紙１が提案されている（特許文献１参照）。これは、全面に粘着剤層を有する粘着シートと、その粘着剤層の全域を覆うように重ね合わされた剥離シートとからなる単票用紙１であって、この単票用紙１の剥離シート側に印字するものである。この単票用紙１の中央よりやや下方には用紙を谷折りするための折り目線２が設けられ、その折り目線２よりも下方の領域には外周の三辺をコ字形に連ねた糊代３が設けられ、この糊代３の部分と印字面との境界には剥離シートのみを切断したスリット６が設けられている。印字された単票用紙１は、折り目線２にしたがって印字面を内側にして上下二つ折りにされ、糊代３部分の剥離シートを剥がして露出させた粘着剤により接着され、封緘される。
【０００４】
【特許文献１】
特開平１０−３５１４６号公報
【０００５】
【発明が解決しようとする課題】
さて、伝票、請求書、給与明細付き給料袋などを作製する場合、発行者がこれらの控えを作製し、この控えを保管する必要性が高い。
しかし上記の構成において控えを作製しようとする場合、一枚の単票用紙に名宛人向けの情報と、控え用の情報とを印刷した後、控え用の情報が印刷された部分を切り取って保管しなければならない。この控えは粘着シートと剥離シートとが重なって形成されることになるので非常に厚いものとなる。このため、上記の控えを重ねてファイルした場合、非常にかさばるという問題点がある。
【０００６】
本発明は上記事情に鑑みてなされたものであって、その目的は、薄手の控え用紙を作製可能な封書用シートを提供することにある。
【０００７】
【課題を解決するための手段】
上記の目的を達成するための手段として、請求項１の発明は、全面に粘着剤層を有する粘着シートと、その粘着剤層の全域を覆うように重ね合わされた剥離シートとからなり、前記剥離シートに所要の情報を印刷してそれが内側となるように折り畳むことにより封緘可能に構成される封書用シートであって、前記剥離シートを内側にして谷折りするための第１及び第２の２つの折り目によってそのシートの全体が３つの領域に区分され、前記第１の折り目によって前記第２の折り目とは反対側に形成される第１の領域から前記剥離シートをその幅全体にわたり剥離して前記粘着剤層を露出させるための切断可能線が前記第１の折り目に沿って前記剥離シートに形成されており、前記第２の折り目によって前記第１の折り目とは反対側に形成される第３の領域にはその両側に位置する端縁切り離し部を除去して幅狭にするための切断可能線が前記剥離シート及び前記粘着シートの双方にわたって形成されていることを特徴とする。
【０００８】
請求項２の発明は、請求項１に記載の封書用シートにおいて、前記第１及び前記第２の領域には、前記第３の領域において前記端縁切り離し部が除去された幅と同等な幅で両側を切り落とすための切断可能線が前記剥離シート及び前記粘着シートの双方にわたり形成されていることを特徴とする。
【０００９】
請求項３の発明は、請求項１または請求項２に記載の封書用シートにおいて、前記第１の領域には前記第１の折り目によって谷折りしたときに前記第２の領域と重ならない部分を除去するための切断可能線が第１の折り目と平行に形成されていることを特徴とする。
【００１０】
請求項４の発明は、請求項１ないし請求項３のいずれかに記載の封書用シートにおいて、前記粘着シートには前記第１の折り目に重なるようにして開封用の切断可能線が形成されていることを特徴とする。
【００１１】
請求項５の発明は、請求項１ないし請求項３のいずれかに記載の封書用シートにいて、前記粘着シート及び前記剥離シートの双方には、前記第２の折り目に重なるようにして開封用の切断可能線が形成されていることを特徴とする。
【００１２】
【発明の作用及び効果】
＜請求項１の発明＞
請求項１の発明によれば、切断可能線に沿って端縁切り離し部を除去した第３の領域を第２の折り目に沿って第２の領域に重ねた後、第１の領域を第３の領域に重ねて第１の領域において露出する粘着剤層を前記第３の領域の裏側に貼り付けることにより、剥離シート上に印刷した情報が内側となるように折り畳まれた封書を作成できる。このようにして、親展性のある情報や、宛名、書類名などを１枚のシートにプリンタで印刷した後、このシートを折り曲げたり貼着したりすることによって、１枚の封書用シートから封書を容易に作成することができる。
【００１３】
また、粘着剤層を露出させるために剥離した剥離シートは、その幅全体にわたり広く剥離できるので、重ねてファイル可能な大きさを備えている。このため、この剥離シートに控え用の情報を印刷し、控えとして利用できる。そしてこの控えは剥離した剥離シートに印刷されたものであるので薄い。このため控えを重ねた場合でも、かさばることなくファイル、保管することができる。
【００１４】
＜請求項２の発明＞
請求項２の発明によれば、封緘された封筒においては、第１の領域と第２の領域とは第３の領域において端縁切り離し部が除去された幅と同等な幅で接着されているので、剥離シート及び粘着シートの双方にわたり形成された切断可能線を切り取ることにより、第１の領域と第２の領域とが接着された部分を除去できる。このようにして、封筒を容易に開封することができる。
【００１５】
＜請求項３の発明＞
請求項３の発明によれば、第１の領域に設けられた切断可能線に沿って、第１の折り目によって谷折りしたときに第２の領域と重ならない部分を容易に除去することができる。この切断可能線を形成する位置を調整することにより、作成された封筒を郵便法に基づく定形郵便物の大きさとすることができる。定形郵便物は定形外郵便物と比べて郵送料が安いので、コスト削減を図ることができる。
【００１６】
＜請求項４の発明＞
請求項４の発明によれば、第１の折り目に重なるようにして粘着シートに形成された切断可能線を切り開くことにより、封緘された封筒を容易に開封することができる。また、開封された封筒は、第２の領域と第３の領域とが連続した紙片として展開されるので、第２の領域と第３の領域とにまたがって印刷された一連の情報を容易に視認できる。
【００１７】
＜請求項５の発明＞
請求項５の発明によれば、第２の折り目に重なるようにして、粘着シート及び剥離シートの双方に形成された開封用の切断可能線を切り開くことにより、封緘された封筒を容易に開封することができる。また、開封された封筒は、第２の領域と第３の領域とが別々に切断された状態で展開されるので、第２の領域と第３の領域とにそれぞれ独立した情報を印刷した場合に、容易にこれらを視認できる。
【００１８】
【発明の実施の形態】
以下、本発明の実施形態を添付図面に基づいて説明する。
＜第１実施形態＞
本発明の第１実施形態を図１ないし図６によって説明する。
まず、封書用シート１０の構成について説明する。矩形の粘着シート１１には粘着剤が全面にわたって塗布されて粘着剤層１２が形成されている。この粘着剤層１２の全域を覆うように矩形の剥離シート１３が粘着シート１１に重ね合わされている。粘着シート１１と剥離シート１３とが一体となった封書用シート１０には、短辺に平行に第１の折り目１４と、第２の折り目１５とが形成され、これら２本の折り目１４、１５によって封書用シート１０は、第１の領域１６、第２の領域１７、及び第３の領域１８の３つの領域に区分される。第１の領域１６と第２の領域１７とを区分する第１の折り目１４に重なって剥離シート１３にスリット１９（請求項１における、粘着剤層を露出させるための切断可能線）が形成され、粘着シート１１にはミシン目２０（請求項４における、開封用の切断可能線）が形成されている。他方、第２の領域１７と第３の領域１８とを区分する第２の折り目１５に沿って、剥離シート１３と粘着シート１１の双方にミシン目２１（請求項５における、開封用の切断可能線）が形成されている。また、封書用シート１０の長辺側の両側端にはミシン目２２、２３（請求項２における、両側を切り落とすための切断可能線）が形成されている。そして、第１の領域１６の粘着シート１１には、第１の折り目１４によって第２の領域１７を谷折りしたときに第２の領域１７と重ならない部分を区分するミシン目２４（請求項３における、切断可能線）が封書用シート１０に短辺と平行に形成されており、このミシン目２４と重なってスリット１９が形成されている。このミシン目２４、及びスリット１９の位置は、第１の領域１６と第２の領域１７とが重なる部分が郵便法に基づく定形郵便物の大きさとなるように調整されている。
【００１９】
次に、封書用シート１０を用いた封書３０の作成方法について説明する。
封書用シート１０の剥離シート１３上に、第１の領域１６のうちミシン目２４で区分されて第１の折り目１４と反対側に形成される領域１６Ａには書類名、宛名、日付などの情報を、第１の領域１６のうちミシン目２４で区分されて第１の折り目１４の側に形成される領域１６Ｂには封書３０の発行者のための控え用の情報を、第２の領域１７、及び第３の領域１８には封書３０の名宛人に対して送付すべき親展性のある情報を、レーザープリンタにより印刷した後、封書用シート１０の第３の領域１８の端縁切り離し部２５、２６をミシン目２２、２３に沿って切り落として幅狭とする（図２参照）。この第３の領域１８を折り目１５に沿って谷折りにし、第２の領域１７に重ねるように折り重ねる。一方、第１の領域１６に形成されたスリット１９にしたがって、剥離シート１３Ａを剥離して粘着剤層１２を露出させた後、粘着剤層１２を露出させた第１の領域１６Ｂを、先に第２の領域１７の上に折り重ねた第３の領域１８の上に更に折り重ねる（図３参照）。すると、第１の領域１６Ｂの粘着シート１１と、第３の領域１８の印刷面とは反対側の面、及び第２の領域１７の端縁部２７、２８が接着され、封書用シート１０は封緘される。このようにして、所要の情報を印刷した１枚のシートから、容易に封書３０を作成することができる（図４参照）。そして、第１の領域１６に形成されたスリット１９にしたがって剥離した剥離シート１３Ａは、封書用シート１０の幅全体に渡って剥離可能に構成されているので、ファイル可能な大きさを有している。このため封書３０の発行者は、剥離した剥離シート４Ａに控え用の情報を印刷して、これを控えとして保存できる。この剥離シート１３Ａは薄いので重ねてファイルしてもかさばらない。
【００２０】
なお、第１の領域１６のミシン目２４によって領域１６Ａを切除することにより、封書３０は容易に郵便法における定形郵便物の大きさにすることができる（図５参照）。
【００２１】
最後に、封書３０の開封方法について図６によって説明する。
第１の領域１６と第２の領域１７とは、第３の領域１８において端縁切り離し部２５、２６が除去された幅と同等な幅で接着されているので、剥離シート１３及び粘着シート１１の双方にわたり形成されたミシン目２２、２３を切り取ることにより、第１の領域１６と第２の領域１７とが接着された部分を除去できる。すると封書３０は筒状に開いた状態となる。次に、ミシン目２０を切り開くことにより、筒状だった封書用シート１０は展開され、印刷された情報を視認することができる。このとき、開封作業において切り取ったり、切り開いたりする部分はミシン目２２、２３、２０により形成されているので、容易に封書３０を開封できる。また、開封された封書３０は、第２の領域１７と第３の領域１８とが連続した紙片として展開されるので、第２の領域１７と第３の領域１８とにわたって印刷された一連の情報を容易に視認できる。
【００２２】
＜第２実施形態＞
次に、本発明の第２実施形態を図７によって説明する。
第２実施形態は、第１の領域１６にミシン目２４が形成されていないこと、及び第１の領域１６と第２の領域１７の面積がほぼ等しいことの他は基本的に第１実施形態と変わるところがないため、第１実施形態と同一部分については、同一符号を付して重複する説明を省略する。
【００２３】
第２実施形態においては、第１の領域１６にミシン目２４が形成されていないため、剥離シート１３Ａをスリット１９にしたがって剥離すると、第１の領域１６全てが剥離される。この状態で、第２の領域１７の上に折り重ねた第３の領域１８の上に更に折り重ねることにより、所要の情報を印刷した１枚の封書用シート１０から封書３０を作成することができる。
【００２４】
＜第３実施形態＞
図８は本発明の第３実施形態を示す。
第３実施形態は、第３の領域１８が２本の折り目１５Ａ、１５Ｂにより３個に区分されていることの他は第１実施形態と変わるところがないため、第１実施形態と同一部分については、同一符号を付して重複する説明を省略する。
【００２５】
第３実施形態においては、第３の領域１８が３個に区分されている。このため、封書３０を作成する際には、第３の領域１８を２本の折り目１５Ａ、１５Ｂにしたがって谷折りにして重ね合わせ、重ね合わされた第３の領域１８を第２の領域１７の上に折り重ねる。この他は、第１実施形態と同様にして封筒を作成できる。
【００２６】
第３実施形態によれば、第３の領域が複数個あることにより、多くの情報を封書３０に印刷することができる。
【００２７】
＜第４実施形態＞
図９は本発明の第４実施形態を示す。
第４実施形態は、開封時に切り開く部分がミシン目２１であることの他は第１実施形態と変わるところがないため、第１実施形態と同一部分については、同一符号を付して重複する説明を省略する。
【００２８】
第４実施形態では、開封された封書用シート１０は、第２の領域１７と第３の領域１８とが別々に切断された状態で展開されるので、第２の領域１７と第３の領域１８とにそれぞれ独立した情報を印刷した場合に、容易にこれらを視認できる。
【００２９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３０】
（１）第１実施形態において、第１の領域１６には、第１の折り目１４によって第２の領域１７を谷折りしたときに第２の領域１７と重ならない部分を区分するミシン目２４が形成されるものとしたが、これに限られず、第１の領域１６にミシン目２４を形成しないものとしてもよい。この場合、第１の折り目１４によって第２の領域１７を谷折りしたときに第２の領域１７と重ならない部分は、書類名、宛名、日時などの情報を印刷し、表題部として用いることができる。
【００３１】
（２）第１実施形態において、第１の領域１６のミシン目２４を切除することにより、封書３０を郵便法における定形郵便物の大きさにしたが、これに限られず、図１０に示すように、第３の領域１８に、短辺と平行にミシン目３１を設け、その位置が、第１の領域１６、及び第２の領域１７の大きさが郵便法に基づく定形郵便物の大きさになるように調整して、端縁切り離し部３２を切り取ることによっても、封書を定形郵便物の大きさに加工することができる。
【００３２】
（３）第１実施形態においてはレーザープリンタを使用したが、これに限られず、インクジェットプリンタや感熱式プリンタなどのノンインパクトプリンタを使用しても良いし、また、ドットプリンタなどのインパクトプリンタを使用してもよい。
【００３３】
（４）第３実施形態においては、第３の領域１８は２本の折り目１５Ａ、１５Ｂにより３個の領域に区分されたが、これに限られず、２本以上の折り目により、３個以上の領域に区分されるものとしてもよい。
【００３４】
（５）上記実施形態では、粘着シート１１には何も印刷していなかったが、粘着シート１１に地紋をプリンタで印刷し、印字内容が外部からは読みとれないようにしてもよい。
【００３５】
（６）上記実施形態では、封書３０内には封書用シート１０からなる紙片以外は封入しなかったが、小銭、封書用シート１０以外の紙片などを封入してもよい。
【図面の簡単な説明】
【図１】第１実施形態の封書用シートの斜視図
【図２】第１実施形態の封書用シートにおいて、第３の領域の端縁切り離し部を切り離し、剥離シートを剥離し、第３の領域を第２の領域に折り重ねようとする状態を示す斜視図
【図３】第１実施形態の封書用シートにおいて、第２の領域の上に折り重ねた第３の領域の上に、更に第１の領域を折り重ねようとする状態を示す斜視図
【図４】第１実施形態の封書用シートを封緘した状態を示す斜視図
【図５】第１実施形態の封書用シートを封緘した封書において、第１の折り目にそって谷折りしたときに、第１の領域と第２の領域とが重ならない部分を除去することによって、封書を郵便法における定形郵便物の大きさにする状態を示す斜視図
【図６】第１実施形態の封書用シートを封緘した封書において、両側縁部を切り離し、第１の領域と第２の領域とを区分するミシン目を切り開くことにより開封する状態を示す斜視図
【図７】第２実施形態の封書用シートを示し、（Ａ）は斜視図、（Ｂ）は第３の領域の端縁切り離し部を切り離し、剥離シートを剥離し、第３の領域を第２の領域に折り重ねようとする状態を示す斜視図
【図８】第３実施形態の封書用シートの斜視図
【図９】第４実施形態の封書用シートにおいて、両側縁部を切り離し、第２の領域と第３の領域とを区分するミシン目を切り開くことにより開封する状態を示す斜視図
【図１０】他の実施形態（２）の封書用シートの斜視図
【図１１】従来例の封書用シートの正面図
【符号の説明】
１０…封書用シート
１１…粘着シート
１２…粘着剤層
１３…剥離シート
１４…第１の折り目
１５…第２の折り目
１６…第１の領域
１７…第２の領域
１８…第３の領域
１９…スリット
２０…ミシン目
２１…ミシン目
２２…ミシン目
２３…ミシン目
２４…ミシン目
２５、２６、３２…端縁切り離し部
３０…封書
３１…ミシン目
【図１】
2004306371.tif 000003
【図２】
2004306371.tif 000004
【図３】
2004306371.tif 000005
【図４】
2004306371.tif 000006
【図５】
2004306371.tif 000007
【図６】
2004306371.tif 000008
【図７】
2004306371.tif 000009
【図８】
2004306371.tif 000010
【図９】
2004306371.tif 000011
【図１０】
2004306371.tif 000012
【図１１】
2004306371.tif 000013